(57)【要約】【課題】  所定枚数未満の紙葉類からなる把を目視で容易に判別できるようにする。【解決手段】  小帯ｋに情報２６を印字する印字部と、所定枚数集積された紙葉類、或いは所定枚数未満で集積された紙葉類に印字部によって情報２６が印字された小帯ｋを巻き付けて施封して把ｔとする百枚帯掛部と、この百枚帯掛部によって結束された把ｔを所定個数集積した集積把を大帯Ｋ１，Ｋ２で結束して束Ｔとする千枚帯掛部とを具備し、印字部は、所定枚数の集積紙葉類に小帯ｋが巻き付けられるときには、情報２６が集積紙葉類の側面部に位置しないように小帯の第１の部位に情報２６を印字し、所定枚数未満で集積される紙葉類に小帯ｋが巻き付けられるときには、情報２６の一部が集積紙葉類の側面部に位置するように小帯ｋの第１の部位とは異なる第２の部位に情報２６をずらせて印字する。【選択図】      図３
2007076723.tif 000002
【特許請求の範囲】
【請求項１】
第１の結束材に情報を印字する印字手段と、
前記印字手段によって情報が印字された第１の結束材を、所定枚数集積された紙葉類、或いは所定枚数未満で集積された紙葉類に巻き付けて施封して把とする第１の結束手段と、
この第１の結束手段によって結束された把を所定個数集積した集積把を第２の結束材で結束して束とする第２の結束手段とを具備し、
前記印字手段は、前記所定枚数の集積紙葉類に前記第１の結束材が巻き付けられるときには、前記情報が前記集積紙葉類の側面部に位置しないように前記第１の結束材の第１の部位に前記情報を印字し、所定枚数未満で集積される紙葉類に前記第１の結束材が巻き付けられるときには、前記情報の一部が前記集積紙葉類の側面部に位置するように前記第１の結束材の前記第１の部位とは異なる第２の部位に前記情報をずらせて印字することを特徴とする紙葉類結束装置。
【請求項２】
前記第１の結束材は搬送され、前記印字手段は搬送される第１の結束材に対する印字タイミングをずらすことにより情報印字位置をずらすことを特徴とする請求項１記載の紙葉類結束装置。
【請求項３】
前記第１の結束材は小帯で、前記把は１００枚集積された紙葉類、或いは所定枚数未満で集積された紙葉類を前記小帯で結束してなることを特徴とする請求項１記載の紙葉類結束装置。
【請求項４】
前記第２の結束材は大帯で、前記束は１０個集積された把を前記
大帯で十文字結束してなることを特徴とする請求項３記載の紙葉類結束装置。
【請求項５】
前記把は５個ごとに互い違いに集積されることを特徴とする請求項３記載の紙葉類結束装置。
【請求項６】
前記第１の部位と第２の部位は前記小帯の巻付方向に沿って変位されることを特徴とする請求項１記載の紙葉類結束装置。
【発明の詳細な説明】
【技術分野】
【０００１】
本発明は、例えば、紙幣などの紙葉類をその種類に応じて区分集積する紙葉類処理機に適用される紙葉類結束装置に関する。
【背景技術】
【０００２】
この種の紙葉類結束装置は、所定枚数（例えば、１００枚）集積された紙葉類を小帯で施封して把とし、この把を所定個数（例えば、１０個）集積して大帯で結束して束とする。
【０００３】
また、この紙葉類結束装置では、小帯に情報を印字する印字部を有し、所定枚数集積された紙葉類を小帯で結束する際には、印字部で小帯に情報を印字してから結束するようにしている（例えば、特許文献１参照。）。
【０００４】
ところで、把のなかには、紙葉類が所定枚数集積されるものばかりではなく、例えば、連続１００枚中に損紙および排除紙が発生した場合は、１００枚未満で集積される把がある。このような１００枚未満の集積紙葉類も同様に小帯で施封される。
【０００５】
１００枚未満で施封された把は、後工程で、連続の１００枚ではないところを調べ、抜けている番号の箇所へ、正しい番号の紙葉類を１枚挿入することで、１００枚の把とするようにしている。
【特許文献１】特開平１０−２５８９６４号公報
【発明の開示】
【発明が解決しようとする課題】
【０００６】
しかしながら、従来においては、紙葉類が１００枚で施封された把と、１００枚未満で施封された把とでは、目視によっては判断できず、後工程での１００枚未満の把を見つけるのが困難であり、処理効率が低下するという問題があった。
【０００７】
本発明は上記事情に着目してなされたもので、その目的とするところは、紙葉類が所定枚数未満の把であっても目視で容易に判別できるようにした紙葉類結束装置を提供することにある。
【課題を解決するための手段】
【０００８】
上記課題を解決するため、請求項１記載のものは、第１の結束材に情報を印字する印字手段と、前記印字手段によって情報が印字された第１の結束材を、所定枚数集積された紙葉類、或いは所定枚数未満で集積された紙葉類に巻き付けて施封して把とする第１の結束手段と、この第１の結束手段によって結束された把を所定個数集積した集積把を第２の結束材で結束して束とする第２の結束手段とを具備し、前記印字手段は、前記所定枚数の集積紙葉類に前記第１の結束材が巻き付けられるときには、前記情報が前記集積紙葉類の側面部に位置しないように前記第１の結束材の第１の部位に前記情報を印字し、所定枚数未満で集積される紙葉類に前記第１の結束材が巻き付けられるときには、前記情報の一部が前記集積紙葉類の側面部に位置するように前記第１の結束材の前記第１の部位とは異なる第２の部位に前記情報をずらせて印字する。
【発明の効果】
【０００９】
本発明によれば、所定枚数未満の把であっても目視で容易に判別でき、次工程での処理効率を向上できる。
【発明を実施するための最良の形態】
【００１０】
以下、図面を参照して本発明の実施例を説明する。  
【実施例】
【００１１】
図１は本発明の一実施の形態である紙葉類処理装置を示す概略的構成図である。
【００１２】
図中１は装置本体で、この装置本体１の一側部には千枚積層状態で紙葉類を供給する供給部２が設けられている。この供給部２から供給された紙葉類は給紙部３に送られるようになっている。給紙部３は紙葉類を１枚ずつ繰り出すもので、この繰り出された紙葉類は搬送路に沿って搬送される。
【００１３】
搬送路中には紙葉類の搬送方向に沿って順次、検査部５、複数の正紙集積部７、損紙集積部１３、排除紙集積部１４が配設されている。
【００１４】
複数の正紙集積部７の下部側には第１の結束手段としての百枚帯掛部８がそれぞれ配設されている。百枚帯掛部８は百枚集積紙葉類を小帯で結束して把を形成するものである。百枚帯掛部８の下部側には、把を図示矢印Ａ方向に搬送する搬送コンベア１６が設けられ、この搬送コンベア１６の搬出端側には把を受け取って上昇させるリフタ１７が設けられている。リフタ１７によって上昇されてくる把は第２の結束手段としての千枚帯掛部１０に送られて所定個数集積（１０把）されるようになっている。集積された１０把は、大帯がかけられ隣接して配設されたラベル貼付部１１に送られる。
【００１５】
上記した構成において、供給部２に投入された千枚積層状態の紙葉類は給紙部３に搬送されて１枚ずつ繰り出される。この紙葉類は搬送路に沿って搬送され、検査部５の計数機能により計数されるとともに、印字が読み取られ、また、各種検出機能による判定が行なわれる。紙葉類は、この判定結果に基づいて区分され、正常判定紙は正紙集積部７に連続百枚集積され、この百枚集積された紙葉類Ｐは百枚帯掛部８にて図２に示すように百枚ごとに第１の結束材としての小帯ｋによって施封されて把tとなる。
【００１６】
百枚帯掛された把tは、搬送コンベア１６上に移載されて搬送され、リフタ１７を介して千枚帯掛部１０に送られ、図３に示すように５把ごとに互い違いに集積されたのち大帯としての縦帯Ｋ１と横帯Ｋ２によって十文字に千枚帯掛けが行なわれて束Ｔとなる。この千枚帯掛けされた束Ｔは、ラベル貼付部１１に送られて所定の印字が施されたラベル１９が貼り付けられ、機外に排出される。
【００１７】
一方、検査部５で異常と判定された紙葉類は、その判定結果により損紙集積部１３または、排除紙集積部１４に集積される。このように、損紙集積部１３または、排除紙集積部１４に紙葉類が集積された場合には、正紙集積部７に集積される紙葉類は１００枚未満となるが、そのまま、自動帯掛けが行われる。
【００１８】
ところで、上記した百枚帯掛部８で用いられる小帯ｋには、図４に示すような印字手段としての印字部２１によって施封に先立って所定の情報が印字されるようになっている。
【００１９】
印字部２１は印字ヘッド２２と、インクリボン２３と、このインクリボン２３を介して離間対向するプラテンローラ２４とを有して構成されている。小帯ｋは印字ヘッド２２とプラテンローラ２４との間に送り込まれて搬送され、印字ヘッド２２の発熱によりインクリボン２３のインクが小帯ｋに転写されて情報が印字されるようになっている。
【００２０】
情報が印字された小帯ｋは、所定長さにカッタ（図示じない）で切断されて百枚帯掛部８に送られ、ここで、集積された紙葉類に巻き付けられて施封するようになっている。
【００２１】
上記印字部２１は、小帯ｋを１００枚集積された紙葉類の施封に用いる場合と、１００枚未満の集積紙葉類の施封に用いる場合とでは、小帯ｋに対する情報印字のタイミングをずらせて小帯ｋの異なる部位に情報を印字するようになっている。
【００２２】
即ち、１００枚集積された紙葉類の施封に用いる場合には、図２に示すように、１００枚集積紙葉類を施封したとき、小帯ｋの第１の部位である上面側に情報２６が位置するように印字される。また、１００枚未満で集積された紙葉類の施封に用いる場合には、図５に示すように、１００枚未満の集積紙葉類を施封したとき、小帯ｋの第２の部位である側面側に情報２６の一部が位置するように印字される。即ち、小帯ｋの第１の部位と第２の部位とは小帯ｋの巻付方向に沿って変位されている。
【００２３】
従って、１００枚未満での施封把と１００枚での施封把とでは情報の印字位置がずらされ、１００枚での施封把は横方向から見て、その情報２６が印字されていることがわかる。
【００２４】
これにより、施封把が、図３に示すように１０把分積み重ねられて束の形状になった場合には、横から見ても、どの施封把が１００枚未満で巻かれているかが目視で容易に判別することができる。
【００２５】
上記したように、この実施の形態によれば、１００枚正常に集積された紙葉類の施封に用いられる小帯ｋに情報２６を印字する場合は、把の横方向の側面部に情報がはみ出ないように印字し、１００枚未満での施封に用いられる小帯ｋの場合には、印字位置をずらし、角の側面側にはみ出るように印字するため、把ｔが積み重ねられていても、横方向から目視で１００枚未満の把を確認することができ、１００枚未満の把を見分け易くなり、後工程の処理効率を向上することができる。
【００２６】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００２７】
【図１】本発明の一実施の形態である紙葉類処理装置を示す構成図。
【図２】図１の百枚帯掛部によって所定枚数で施封された把を示す斜視図。
【図３】図１の千枚帯掛部によって所定個数の把が大帯で結束された束を示す斜視図。
【図４】図１の紙葉類処理装置の百枚帯掛部の帯印字部を示す図。
【図５】図１の百枚帯掛部によって百枚未満の紙葉類が小帯で施封された把を示す斜視図。
【符号の説明】
【００２８】
ｋ…小帯（第１の結束材）、ｔ…把、８…百枚帯掛部（第１の結束手段）、１０…千枚帯掛部（第２の結束手段）、２１…印字部（印字手段）、２６…情報、Ｔ…束、Ｋ１、Ｋ２…大帯（第２の結束材）。
【図１】
2007076723.tif 000003
【図２】
2007076723.tif 000004
【図３】
2007076723.tif 000005
【図４】
2007076723.tif 000006
【図５】
2007076723.tif 000007